(57)【要約】【課題】各種電子機器において、主に記録媒体の有無やメカニズムの動作検出等に用いられるスイッチに関し、可動接点と固定接点との接触が安定し、確実な電気的接離が可能なものを提供することを目的とする。【解決手段】共通固定接点２の端子部２Ａの根元近傍の中間部２Ｂを所定範囲覆う覆い部１１Ｂを、ケース１１内底面にケース１１と一体に設けることによって、端子部２Ａを介してケース１１内に浸入したフラックスが、中間部２Ｂから延伸した接点部２Ｃ表面まで滲み出て付着することがなく、可動接点と固定接点との接触が安定し、確実な電気的接離が可能なスイッチを実現することができる。【選択図】図１
2012089363.tif 000002
【特許請求の範囲】
【請求項１】
略箱形のケースと、前記ケースの内底面に植設され、端子部が前記ケースから外方へ延出した複数の固定接点と、前記ケースに揺動または移動可能に保持された操作体と、先端に複数の接触部を備え前記操作体の操作に伴って前記接触部が前記固定接点に弾接する可動接点からなり、前記端子部の根元近傍の固定接点を所定範囲覆う覆い部を前記ケース内底面に一体に設けたスイッチ。
【発明の詳細な説明】
【技術分野】
【０００１】
本発明は、各種電子機器において、主に記録媒体の有無やメカニズムの動作検出等に用いられるスイッチに関するものである。
【背景技術】
【０００２】
近年、ビデオやパソコン等の各種電子機器の小型化や高機能化が進むなか、これらのテープやディスク等の記録媒体の有無、或いはツマミや扉等のメカニズムの動作検出等に用いられる検出用スイッチにおいても、小型薄型で電気的接離の確実なものが求められている。
【０００３】
このような従来のスイッチについて、図６〜図８を用いて説明する。
【０００４】
図６は従来のスイッチの断面図、図７は同分解斜視図であり、同図において、１は絶縁樹脂製で上面開放の略箱形のケース、２は導電金属薄板製の共通固定接点、３は同じく個別固定接点で、共通固定接点２及び個別固定接点３がケース１の内底面に植設固定されると共に、下方に折曲した端子部２Ａがケース１の右端近傍から外方へ、同様に端子部３Ａが左端近傍から外方へ各々延出している。
【０００５】
なお、共通固定接点２は端子部２Ａの根元から折曲して、ケース１内底面に略全幅で個別固定接点３側へ所定長さ延びた略矩形の中間部２Ｂと、この中間部２Ｂから個別固定接点３側へ狭幅で延伸した接点部２Ｃにより形成され、個別固定接点３は、端子部３Ａと、この根元から折曲したケース１内底面に細幅の桟部３Ｂが後側に延びて、さらに右側へ接点部２Ｃと略並行に延伸した接点部３Ｃの略Ｌ字状に形成されている。
【０００６】
また、４は絶縁樹脂製の操作体で、左端の支点部４Ａを支点としてケース１内に揺動可能に収納されると共に、右端にはケース１上面から上方へ突出する操作部４Ｂが形成されている。
【０００７】
さらに、５は弾性金属薄板製の可動接点で、左端のＵ字状部がケース１内側面の保持穴内に保持されると共に、右端には二股にアーム部５Ａが各々延出し、アーム部５Ａの先端に略円弧状の接触部５Ｂが各々設けられている。
【０００８】
そして、アーム部５Ａがやや撓んだ状態で、図６（ａ）に示すように、一方の接触部５Ｂが共通固定接点２の接点部２Ｃ上に弾接し、図６（ｂ）に示すように、他方の接触部５Ｂがケース１内底面の絶縁樹脂上に弾接している。
【０００９】
また、操作体４の操作部４Ｂ下面が可動接点５のアーム部５Ａ上方に当接してスイッチが構成されている。
【００１０】
そして、このように構成されたスイッチは、上下面に複数の配線パターンが形成された配線基板（図示せず）上に載置され、ケース１から延出した端子部２Ａ、３Ａが、所定の配線パターンにハンダ付けされて、機器の電子回路（図示せず）に電気的に接続される。
【００１１】
以上の構成において、操作部４Ｂが下方へ押圧操作されると、操作体４が支点部４Ａを支点として下方へ揺動し、可動接点５のアーム部５Ａがさらに撓んで、アーム部５Ａ左端の一方の接触部５Ｂが接点部２Ｃの左側へ弾接摺動すると共に、他方の接触部５Ｂがケース１内底面から左方の接点部３Ｃ上に弾接摺動して、可動接点５を介して共通固定接点２と個別固定接点３が電気的に接続される。
【００１２】
なお、このようなスイッチを配線基板にハンダ付けする際には、端子部２Ａ、３Ａが延出した面である前面を配線基板に載置し、端子部２Ａ、３Ａを配線パターンの所定のランド上に配置して、リフローハンダ付け等によって表面実装されるが、この時、端子部２Ａや３Ａからフラックスがその表面とケース１の絶縁樹脂との僅かな隙間を介してケース１内底面に侵入する場合がある。
【００１３】
すなわち、図６（ａ）の矢印（破線）Ａに示すように、例えば、共通固定接点２の端子部２Ａに付着したフラックスは、上方のケース１と端子部２Ａ根元との隙間からケース１内に侵入し、端子部２Ａ根元近傍の比較的広い面積の中間部２Ｂ下面に浸透、拡散して、図８の要部斜視図に示すように、中間部２Ｂ周囲や左方へ延伸した接点部２Ｃの周囲からフラックス６が表面に滲み出る可能性があった。
【００１４】
これによって、スイッチを操作した時、フラックス６が滲み出た接点部２Ｃ上面に可動接点５の一方の接触部５Ｂが弾接すると、これらの接触は高絶縁性のフラックス６を介したものとなるため、接触抵抗が高く不安定になる可能性があるものであった。
【００１５】
なお、この出願の発明に関連する先行技術文献情報としては、例えば、特許文献１が知られている。
【先行技術文献】
【特許文献】
【００１６】
【特許文献１】特開２００７−０５２９６３号公報
【発明の概要】
【発明が解決しようとする課題】
【００１７】
しかしながら、上記従来のスイッチにおいては、スイッチを配線基板にハンダ付けする際に、端子部２Ａを介してケース１内に浸入したフラックス６が可動接点５の接触部５Ｂが弾接する共通固定接点２の接点部２Ｃ上面まで滲み出て、接触部５Ｂと接点部２Ｃとの接触抵抗が高く不安定になる可能性があるという課題があった。
【００１８】
本発明は、このような従来の課題を解決するものであり、可動接点と固定接点の接触が安定し、確実な電気的接離が可能なスイッチを提供することを目的とする。
【課題を解決するための手段】
【００１９】
上記目的を達成するために本発明は、端子部の根元近傍の固定接点を所定範囲覆う覆い部をケース内底面にケースと一体に設けたものであり、例えば、共通固定接点の端子部の根元近傍で、ケース内底面の可動接点が弾接または当接しない共通固定接点の中間部を、所定範囲覆う覆い部をケースと一体に設けることによって、端子部を介してケース内に浸入したフラックスは、共通固定接点の中間部下面とケースの隙間や中間部上面と覆い部との隙間に滞留して、これ以上、延伸した接点部表面まで滲出することがなく、可動接点と固定接点との接触が安定し、確実な電気的接離が可能なスイッチを得ることができるという作用を有する。
【発明の効果】
【００２０】
以上のように本発明によれば、可動接点と固定接点との接触が安定し、確実な電気的接離が可能なスイッチを実現できるという有利な効果が得られる。
【図面の簡単な説明】
【００２１】
【図１】本発明の一実施の形態によるスイッチの断面図
【図２】同断面図
【図３】同分解斜視図
【図４】同操作時の断面図
【図５】同要部斜視図
【図６】従来のスイッチの断面図
【図７】同分解斜視図
【図８】同要部斜視図
【発明を実施するための形態】
【００２２】
以下、本発明の実施の形態について、図１〜図５を用いて説明する。
【００２３】
なお、背景技術の項で説明した構成と同一構成の部分には同一符号を付して、詳細な説明を簡略化する。
【００２４】
（実施の形態）
図１、図２は本発明の一実施の形態によるスイッチの断面図、図３は同分解斜視図であり、同図において、１１は上面開放の略箱形でポリフェニレンサルファイド（以降、ＰＰＳと記載する）等の絶縁樹脂製のケース、２は導電金属薄板製の共通固定接点、３は同じく個別固定接点で、共通固定接点２及び個別固定接点３がケース１１の内底面に植設固定されると共に、下方に折曲した共通固定接点２の端子部２Ａがケース１１前面の右端近傍から外方へ、個別固定接点３の端子部３Ａがケース１１前面の左端近傍から外方へ各々延出している。
【００２５】
そして、共通固定接点２は、端子部２Ａとこの根元から折曲したケース１１内底面に前後方向の全幅で個別固定接点３側へ所定長さ延びた略矩形の中間部２Ｂと、この中間部２Ｂから個別固定接点３側へ狭幅で延伸した接点部２Ｃにより形成されている。
【００２６】
また、中間部２Ｂにはケース１１内の前後方向の内幅で右端から左方へ中間部２Ｂの所定範囲を絶縁樹脂で覆う覆い部１１Ｂがケース１１と一体に設けられている。
【００２７】
さらに、覆い部１１Ｂの左右の範囲と高さは、後述する可動接点の操作体による可動範囲外で、可動接点に触れないように配設されている。
【００２８】
そして、個別固定接点３は、端子部３Ａと、この根元から折曲したケース１１内底面に、細幅の桟部３Ｂが後側に延びて、さらに右側へ接点部２Ｃと略並行に延伸した接点部３Ｃの略Ｌ字状に形成されている。
【００２９】
また、４はＰＰＳ等の絶縁樹脂製の操作体で、左端の支点部４Ａを支点としてケース１１内に揺動可能に収納されると共に、右端にはケース１１上面から上方へ突出する操作部４Ｂが形成されている。
【００３０】
さらに、５は弾性金属薄板製の可動接点で、左端のＵ字状の係止部５Ｃがケース１１内側面の保持穴１１Ａ内に保持されると共に、右端には二股にアーム部５Ａが各々延出した略コ字状に形成され、アーム部５Ａの先端に略円弧状の接触部５Ｂが各々設けられている。
【００３１】
そして、アーム部５Ａがやや撓んだ状態で、図１に示すように、一方の接触部５Ｂが共通固定接点２の接点部２Ｃ上に弾接し、図２に示すように、他方の接触部５Ｂが中間部２Ｂと接点部３Ｃとの間のケース１１内底面の絶縁樹脂上に弾接している。
【００３２】
また、操作体４の操作部４Ｂ下面が可動接点５のアーム部５Ａ上方に当接してスイッチが構成されている。
【００３３】
そして、このように構成されたスイッチは、上下面に複数の配線パターンが形成された配線基板（図示せず）上に載置され、ケース１１から延出した端子部２Ａ、３Ａが、所定の配線パターンにハンダ付けされて、機器の電子回路（図示せず）に電気的に接続される。
【００３４】
以上の構成において、テープやディスク等の記録媒体の挿抜、或いはツマミや扉等のメカニズムの動作によって、ケース１１上方へ突出した操作部４Ｂが下方へ押圧操作されると、図４の断面図に示すように、操作体４が支点部４Ａを支点として下方へ揺動する。
【００３５】
そして、操作体４の揺動に伴って、可動接点５のアーム部５Ａがさらに撓むと共に、図４（ａ）に示すように、アーム部５Ａ左端の一方の接触部５Ｂが接点部２Ｃの左側へ弾接摺動すると共に、図４（ｂ）に示すように、他方の接触部５Ｂがケース１１内底面から左方の接点部３Ｃ上に弾接摺動して、可動接点５を介して共通固定接点２と個別固定接点３が電気的に接続される。
【００３６】
なお、このようなスイッチを配線基板にハンダ付けする際には、端子部２Ａ、３Ａが延出した面である前面を配線基板上に載置し、端子部２Ａ、３Ａを配線パターンの所定のランド上に配置して、リフローハンダ付け等によって表面実装されるが、この時、端子部２Ａや３Ａからフラックスがその表面とケース１１の絶縁樹脂との僅かな隙間を介してケース１１内底面に侵入する場合がある。
【００３７】
そして、図１の矢印（破線）Ａに示すように、共通固定接点２の端子部２Ａに付着したフラックスは、端子部２Ａ根元とケース１１の隙間からケース１１内に侵入し、図５の要部斜視図に示すように、端子部２Ａ根元近傍の比較的広い面積の中間部２Ｂ下面に浸透及び拡散すると共に、さらに中間部２Ｂ上面とこれに対向した覆い部１１Ｂの下面との間に浸透、拡散する。
【００３８】
したがって、端子部２Ａからケース１１内に侵入したフラックス６は、中間部２Ｂの下面の範囲や上面と覆い部１１Ｂとの範囲に亘りケース１１との隙間内に滞留して、これ以上、中間部２Ｂから延伸した接点部２Ｃには移動しないため、接点部２Ｃからフラックス６が滲み出てその上面に付着し難くなっている。
【００３９】
つまり、端子部２Ａからはある程度定量のフラックス６が侵入したとしても、ケース１１の覆い部１１Ｂによって覆われた中間部２Ｂで、その下面と上面の覆い部１１Ｂの範囲でフラックス６が留まり、接点部２Ｃには到達しないため、接点部２Ｃ上面にはフラックス６が付着せず、可動接点５の接触部５Ｂと共通固定接点２との接触は安定したものとなる。
【００４０】
なお、端子部３Ａからもケース１１内にフラックス６は侵入する場合があるが、端子部３Ａ根元からは略Ｌ字状で細幅の桟部３Ｂを介して接点部３Ｃに繋がっているため、フラックス６は桟部３Ｂから接点部３Ｃには移動し難い。
【００４１】
このように本実施の形態によれば、共通固定接点２の端子部２Ａの根元近傍の中間部２Ｂを所定範囲覆う覆い部１１Ｂを、ケース１１内底面にケース１１と一体に設けることによって、端子部２Ａを介してケース１１内に浸入したフラックス６が、中間部２Ｂ下面とケース１１の隙間や中間部２Ｂ上面と覆い部１１Ｂとの隙間に滞留して、これ以上、中間部２Ｂから延伸した接点部２Ｃ表面まで滲み出て付着することがなく、可動接点５と共通固定接点２との接触が安定し、確実な電気的接離が可能なスイッチを実現することができる。
【００４２】
以上の説明では、操作体４が支点部４Ａを中心に揺動する揺動操作型のスイッチを例に説明したが、操作体の上下方向への移動に伴って可動接点が固定接点と接離する構成や、操作体が左右方向へのスライド移動に伴って可動接点が固定接点と接離する構成の移動操作型のスイッチにおいても本発明の実施は可能である。
【００４３】
また、以上の説明では、常時、可動接点５の一方の接触部５Ｂが弾接摺動する共通固定接点２と、操作体４の操作に伴って、他方の接触部５Ｂが個別固定接点３と接離して電気的接離が行われる構成として説明したが、２つ以上の複数の個別固定接点で、操作体の操作に伴って、可動接点の複数の接触部が対応する個別固定接点と各々接離して、可動接点を介して個別固定接点同士が電気的に接続される構成においても、本発明の実施は可能である。
【産業上の利用可能性】
【００４４】
本発明によるスイッチは、可動接点と固定接点との接触が安定し、確実な電気的接離が可能なものを得ることができ、主に各種電子機器に使用される検出用スイッチとして有用である。
【符号の説明】
【００４５】
２  共通固定接点
２Ａ、３Ａ  端子部
２Ｂ  中間部
２Ｃ、３Ｃ  接点部
３  個別固定接点
３Ｂ  桟部
４  操作体
４Ａ  支点部
４Ｂ  操作部
５  可動接点
５Ａ  アーム部
５Ｂ  接触部
５Ｃ  係止部
６  フラックス
１１  ケース
１１Ａ  保持穴
１１Ｂ  覆い部
【図１】
2012089363.tif 000003
【図２】
2012089363.tif 000004
【図３】
2012089363.tif 000005
【図４】
2012089363.tif 000006
【図５】
2012089363.tif 000007
【図６】
2012089363.tif 000008
【図７】
2012089363.tif 000009
【図８】
2012089363.tif 000010